(57)【要約】【課題】目的地が近付いたときに、ユーザに状況を案内する携帯端末装置を実現する。【解決手段】目的地登録操作により、選択されたお知らせ範囲が範囲情報として、駅名およびその位置情報に対応付けて目的地テーブル１０３ｂに登録される。到着お知らせモードをオン設定すると、ＧＰＳ受信部１０６にて検出される現在位置が目的地テーブル１０３ｂに登録した範囲情報（お知らせ範囲）に含まれ、目的地（到着駅）に接近した場合に、マイク１０９ａをオン設定して周囲音を集音し、そのときイヤホン１０９ｃで音楽聴取中ならば、集音した周囲音を再生中の音楽に合成してイヤホン１０９ｃから出力させる。これにより、到着駅に接近する際に行われる車内放送が聴き取り難かったり、聞き逃す虞が無くなる為、目的地が近付いたときに、ユーザに状況を案内できる。【選択図】図１８
2007267196.tif 000002
【特許請求の範囲】
【請求項１】
携帯端末装置であって、
前記携帯端末装置の周囲の音を集音する条件を設定する設定手段と、
前記設定手段により設定される条件を記憶する記憶手段と、
現在の状況を検出する検出手段と、
前記検出手段により検出される現在の状況が、前記記憶手段に記憶される条件を満たすか否かを判定する判定手段と、
前記検出手段により検出される現在の状況が前記記憶手段に記憶される条件を満たすと前記判定手段により判定される場合に、前記携帯端末装置の周囲の音を集音して出力する出力手段と
を具備することを特徴とする携帯端末装置。
【請求項２】
前記設定手段は、前記携帯端末装置の周囲の音を集音する条件として、駅の位置に係る範囲情報を設定し、
前記検出手段は、現在の状況として前記携帯端末装置の現在位置を検出し、
前記判定手段は、前記検出手段により検出される前記携帯端末装置の現在位置が、前記記憶手段に記憶される範囲情報に含まれるか否かを判定し、
前記出力手段は、前記検出手段により検出される前記携帯端末装置の現在位置が、前記記憶手段に記憶される範囲情報に含まれると前記判定手段により判定される場合に、前記携帯端末装置の周囲の音を集音して出力することを特徴とする請求項１記載の携帯端末装置。
【請求項３】
前記設定手段は、前記携帯端末装置の周囲の音を集音する条件として、前記携帯端末装置が駅に到着する予定時刻に係る範囲情報を設定し、
前記検出手段は、現在の状況として現在時刻を検出し、
前記判定手段は、前記検出手段により検出される現在時刻が、前記記憶手段に記憶される範囲情報に含まれるか否かを判定し、
前記出力手段は、前記検出手段により検出される現在時刻が、前記記憶手段に記憶される範囲情報に含まれると前記判定手段により判定される場合に、前記携帯端末装置の周囲の音を集音して出力することを特徴とする請求項１記載の携帯端末装置。
【請求項４】
前記出力手段は、前記判定手段により現在の状況が前記携帯端末装置の周囲の音を集音する条件を満たすと判定される場合に、前記携帯端末装置の周囲の音を集音してイヤホン出力することを特徴とする請求項１乃至３のいずれか１項に記載の携帯端末装置。
【請求項５】
前記出力手段は、前記携帯端末装置が音をイヤホン出力している場合、そのイヤホン出力している音と共に、集音する前記携帯端末装置の周囲の音をイヤホン出力することを特徴とする請求項４記載の携帯端末装置。
【請求項６】
携帯端末装置であって、
案内情報の始り部分を示す開始音を収録する収録手段と、
前記携帯端末装置の周囲の音を集音する集音手段と、
前記集音手段により集音される前記携帯端末装置の周囲の音に、前記収録手段が収録する開始音が含まれるか否かを判定する判定手段と、
前記集音手段が集音する前記携帯端末装置の周囲の音に、前記収録手段が収録する開始音が含まれると前記判定手段により判定される場合に、前記集音手段により集音される前記携帯端末装置の周囲の音を出力する出力手段と
を具備することを特徴とする携帯端末装置。
【請求項７】
前記収録手段は、案内情報の終わり部分を示す終了音をさらに収録し、
前記判定手段は、前記集音手段により集音される前記携帯端末装置の周囲の音に前記収録手段が収録する終了音が含まれるか否かをさらに判定し、
前記出力手段は、前記集音手段が集音する前記携帯端末装置の周囲の音に、前記収録手段が収録する終了音が含まれると前記判定手段により判定される場合に、前記集音手段により集音される前記携帯端末装置の周囲の音の出力を停止することを特徴とする請求項６記載の携帯端末装置。
【請求項８】
前記集音手段が前記携帯端末装置の周囲の音の集音を開始する時刻を設定する設定手段と、
現在時刻を取得する時刻取得手段と、
前記時刻取得手段により取得される現在時刻が、前記設定手段により設定される時刻に一致するか否かを判定する時刻判定手段とをさらに備え、
前記集音手段は、前記時刻取得手段により取得される現在時刻が、前記設定手段により設定される時刻に一致すると前記時刻判定手段により判定される場合、前記携帯端末装置の周囲の音を集音することを特徴とする請求項６又は７のいずれかに記載の携帯端末装置。
【請求項９】
前記出力手段は、前記集音手段が集音する前記携帯端末装置の周囲の音に、前記収録手段が収録する開始音が含まれると前記判定手段により判定される場合に、前記集音手段により集音される前記携帯端末装置の周囲の音をイヤホン出力することを特徴とする請求項６乃至８のいずれか１項に記載の携帯端末装置。
【請求項１０】
前記出力手段は、前記携帯端末装置が音をイヤホン出力している場合、そのイヤホン出力している音と共に、前記集音手段により集音される前記携帯端末装置の周囲の音をイヤホン出力することを特徴とする請求項９記載の携帯端末装置。
【請求項１１】
ユーザが携行する携帯端末装置と、駅に配設される改札装置と、列車に配備されるサービス提供装置とから構成されるシステムであって、
前記携帯端末装置に設けられ、少なくとも端末識別情報と到着駅とを表す案内用データを、改札時に前記改札装置へ送信する案内用データ送信手段と、
前記改札装置に設けられ、前記案内用データ送信手段から送信される案内用データを受信する案内用データ受信手段と、
前記改札装置に設けられ、前記案内用データ受信手段により受信された案内用データに含まれる到着駅と改札時刻とに応じて、前記携帯端末装置を携行するユーザが乗車する列車を特定し、特定した列車に配備される前記サービス提供装置へ案内用データを転送する案内用データ転送手段と、
前記サービス提供装置に設けられ、前記案内用データ転送手段から転送される案内用データに含まれる到着駅への到着予定時刻に、情報取得の開始を指示するメールを、案内用データに含まれる端末識別情報が指定する前記携帯端末装置に送信するメール送信手段と、
前記サービス提供装置に設けられ、前記メール送信手段がメール送信した後に、駅到着を知らせる案内情報を無線送信する無線送信手段と、
前記携帯端末装置に設けられ、前記メール送信手段から送信されたメールを受信した場合に、前記無線送信手段から無線送信される案内情報を自動的に受信して出力する案内情報出力手段と
を具備することを特徴とする案内システム。
【請求項１２】
ユーザが携行する携帯端末装置と、車内検札する検札装置と、列車に配備されるサービス提供装置とから構成されるシステムであって、
前記携帯端末装置に設けられ、少なくとも端末識別情報と到着駅とを表す案内用データを、検札時に前記検札装置へ送信する案内用データ送信手段と、
前記検札装置に設けられ、前記案内用データ送信手段から送信される案内用データを受信して前記サービス提供装置に転送する案内用データ転送手段と、
前記サービス提供装置に設けられ、前記案内用データ転送手段から転送される案内用データに含まれる到着駅への到着案内を行う前に、情報取得の開始を指示するメールを、案内用データに含まれる端末識別情報が指定する前記携帯端末装置に送信するメール送信手段と、
前記サービス提供装置に設けられ、前記メール送信手段がメール送信した後に、駅到着を知らせる案内情報を無線送信する無線送信手段と、
前記携帯端末装置に設けられ、前記メール送信手段から送信されたメールを受信した場合に、前記無線送信手段から無線送信される案内情報を自動的に受信して出力する案内情報出力手段と
を具備することを特徴とする案内システム。
【請求項１３】
前記案内情報出力手段は、前記携帯端末装置が音を出力している場合、その出力している音と共に、受信した案内情報をイヤホン出力することを特徴とする請求項１１又は１２のいずれかに記載の案内システム。
【請求項１４】
携帯端末装置の周囲の音を集音する条件を設定する設定処理と、
前記設定処理により設定される条件を記憶する記憶処理と、
現在の状況を検出する検出処理と、
前記検出処理により検出される現在の状況が、前記記憶処理に記憶される条件を満たすか否かを判定する判定処理と、
前記検出処理により検出される現在の状況が前記記憶処理に記憶される条件を満たすと前記判定処理により判定される場合に、前記携帯端末装置の周囲の音を集音して出力する出力処理と
をコンピュータで実行させることを特徴とする携帯端末装置の処理プログラム。
【請求項１５】
案内情報の始り部分を示す開始音を収録する収録処理と、
前記携帯端末装置の周囲の音を集音する集音処理と、
前記集音処理により集音される前記携帯端末装置の周囲の音に、前記収録処理が収録する開始音が含まれるか否かを判定する判定処理と、
前記集音処理が集音する前記携帯端末装置の周囲の音に、前記収録処理が収録する開始音が含まれると前記判定処理により判定される場合に、前記集音処理により集音される前記携帯端末装置の周囲の音を出力する出力処理と
をコンピュータで実行させることを特徴とする携帯端末装置の処理プログラム。
【発明の詳細な説明】
【技術分野】
【０００１】
本発明は、目的地に近付いたことをユーザに案内する案内システム、携帯端末装置および携帯端末装置の処理プログラムに関する。
【背景技術】
【０００２】
列車やバスなどの交通機関に乗車しているときに、予め指定した駅や停留所に到着もしくは近付いたことを報知するシステムが知られている。例えば、特許文献１には、現在位置を検出するＧＰＳ受信機能を備えた携帯端末を用いて、現在位置が予め記憶しておいた目的地に一致したときにユーザに報知する技術が開示されている。
【０００３】
【特許文献１】特開２００１−２４１９６４号公報
【発明の開示】
【発明が解決しようとする課題】
【０００４】
近年、音楽プレーヤやゲーム機の機能を備えた携帯電話などの携帯端末装置が普及しつつある。このような携帯端末装置で音楽プレーヤやゲーム機の機能を楽しむには、再生される音楽やゲーム効果音をイヤホンを使って聴取することが多い。そのような聴取形態であると、例えば列車乗車中であれば、到着を案内する車内放送音が聴き取り難かったり、また上記特許文献１に開示のシステムを使用する場合でも到着報知を聞き逃す虞がある。つまり、目的地が近付いたときに、ユーザに状況を案内することができないという問題がある。
【０００５】
本発明は、このような事情に鑑みてなされたもので、目的地が近付いたときに、ユーザに状況を案内することができる案内システム、携帯端末装置および携帯端末装置の処理プログラムを提供することを目的としている。
【課題を解決するための手段】
【０００６】
上記目的を達成するため、請求項１に記載の発明では、携帯端末装置であって、前記携帯端末装置の周囲の音を集音する条件を設定する設定手段と、前記設定手段により設定される条件を記憶する記憶手段と、現在の状況を検出する検出手段と、前記検出手段により検出される現在の状況が、前記記憶手段に記憶される条件を満たすか否かを判定する判定手段と、前記検出手段により検出される現在の状況が前記記憶手段に記憶される条件を満たすと前記判定手段により判定される場合に、前記携帯端末装置の周囲の音を集音して出力する出力手段とを具備することを特徴とする。
【０００７】
上記請求項１に従属する請求項２に記載の発明では、前記携帯端末装置の周囲の音を集音する条件として、駅の位置に係る範囲情報を設定し、前記検出手段は、現在の状況として前記携帯端末装置の現在位置を検出し、前記判定手段は、前記検出手段により検出される前記携帯端末装置の現在位置が、前記記憶手段に記憶される範囲情報に含まれるか否かを判定し、前記出力手段は、前記検出手段により検出される前記携帯端末装置の現在位置が、前記記憶手段に記憶される範囲情報に含まれると前記判定手段により判定される場合に、前記携帯端末装置の周囲の音を集音して出力することを特徴とする。
【０００８】
上記請求項１に従属する請求項３に記載の発明では、前記設定手段は、前記携帯端末装置の周囲の音を集音する条件として、前記携帯端末装置が駅に到着する予定時刻に係る範囲情報を設定し、前記検出手段は、現在の状況として現在時刻を検出し、前記判定手段は、前記検出手段により検出される現在時刻が、前記記憶手段に記憶される範囲情報に含まれるか否かを判定し、前記出力手段は、前記検出手段により検出される現在時刻が、前記記憶手段に記憶される範囲情報に含まれると前記判定手段により判定される場合に、前記携帯端末装置の周囲の音を集音して出力することを特徴とする。
【０００９】
上記請求項１乃至３のいずれか１項に従属する請求項４に記載の発明では、前記出力手段は、前記判定手段により現在の状況が前記携帯端末装置の周囲の音を集音する条件を満たすと判定される場合に、前記携帯端末装置の周囲の音を集音してイヤホン出力することを特徴とする。
【００１０】
上記請求項４に従属する請求項５に記載の発明では、前記出力手段は、前記携帯端末装置が音をイヤホン出力している場合、そのイヤホン出力している音と共に、集音する前記携帯端末装置の周囲の音をイヤホン出力することを特徴とする。
【００１１】
請求項６に記載の発明では、携帯端末装置であって、案内情報の始り部分を示す開始音を収録する収録手段と、前記携帯端末装置の周囲の音を集音する集音手段と、前記集音手段により集音される前記携帯端末装置の周囲の音に、前記収録手段が収録する開始音が含まれるか否かを判定する判定手段と、前記集音手段が集音する前記携帯端末装置の周囲の音に、前記収録手段が収録する開始音が含まれると前記判定手段により判定される場合に、前記集音手段により集音される前記携帯端末装置の周囲の音を出力する出力手段とを具備することを特徴とする。
【００１２】
上記請求項６に従属する請求項７に記載の発明では、前記収録手段は、案内情報の終わり部分を示す終了音をさらに収録し、前記判定手段は、前記集音手段により集音される前記携帯端末装置の周囲の音に前記収録手段が収録する終了音が含まれるか否かをさらに判定し、前記出力手段は、前記集音手段が集音する前記携帯端末装置の周囲の音に、前記収録手段が収録する終了音が含まれると前記判定手段により判定される場合に、前記集音手段により集音される前記携帯端末装置の周囲の音の出力を停止することを特徴とする。
【００１３】
上記請求項６又は７のいずれかに従属する請求項８に記載の発明では、前記集音手段が前記携帯端末装置の周囲の音の集音を開始する時刻を設定する設定手段と、現在時刻を取得する時刻取得手段と、前記時刻取得手段により取得される現在時刻が、前記設定手段により設定される時刻に一致するか否かを判定する時刻判定手段とをさらに備え、前記集音手段は、前記時刻取得手段により取得される現在時刻が、前記設定手段により設定される時刻に一致すると前記時刻判定手段により判定される場合、前記携帯端末装置の周囲の音を集音することを特徴とする。
【００１４】
上記請求項６乃至８のいずれか１項に従属する請求項９に記載の発明では、前記出力手段は、前記集音手段が集音する前記携帯端末装置の周囲の音に、前記収録手段が収録する開始音が含まれると前記判定手段により判定される場合に、前記集音手段により集音される前記携帯端末装置の周囲の音をイヤホン出力することを特徴とする。
【００１５】
上記請求項９に従属する請求項１０に記載の発明では、前記出力手段は、前記携帯端末装置が音をイヤホン出力している場合、そのイヤホン出力している音と共に、前記集音手段により集音される前記携帯端末装置の周囲の音をイヤホン出力することを特徴とする。
【００１６】
請求項１１に記載の発明では、ユーザが携行する携帯端末装置と、駅に配設される改札装置と、列車に配備されるサービス提供装置とから構成されるシステムであって、前記携帯端末装置に設けられ、少なくとも端末識別情報と到着駅とを表す案内用データを、改札時に前記改札装置へ送信する案内用データ送信手段と、前記改札装置に設けられ、前記案内用データ送信手段から送信される案内用データを受信する案内用データ受信手段と、前記改札装置に設けられ、前記案内用データ受信手段により受信された案内用データに含まれる到着駅と改札時刻とに応じて、前記携帯端末装置を携行するユーザが乗車する列車を特定し、特定した列車に配備される前記サービス提供装置へ案内用データを転送する案内用データ転送手段と、前記サービス提供装置に設けられ、前記案内用データ転送手段から転送される案内用データに含まれる到着駅への到着予定時刻に、情報取得の開始を指示するメールを、案内用データに含まれる端末識別情報が指定する前記携帯端末装置に送信するメール送信手段と、前記サービス提供装置に設けられ、前記メール送信手段がメール送信した後に、駅到着を知らせる案内情報を無線送信する無線送信手段と、前記携帯端末装置に設けられ、前記メール送信手段から送信されたメールを受信した場合に、前記無線送信手段から無線送信される案内情報を自動的に受信して出力する案内情報出力手段とを具備することを特徴とする。
【００１７】
請求項１２に記載の発明では、ユーザが携行する携帯端末装置と、車内検札する検札装置と、列車に配備されるサービス提供装置とから構成されるシステムであって、前記携帯端末装置に設けられ、少なくとも端末識別情報と到着駅とを表す案内用データを、検札時に前記検札装置へ送信する案内用データ送信手段と、前記検札装置に設けられ、前記案内用データ送信手段から送信される案内用データを受信して前記サービス提供装置に転送する案内用データ転送手段と、前記サービス提供装置に設けられ、前記案内用データ転送手段から転送される案内用データに含まれる到着駅への到着案内を行う前に、情報取得の開始を指示するメールを、案内用データに含まれる端末識別情報が指定する前記携帯端末装置に送信するメール送信手段と、前記サービス提供装置に設けられ、前記メール送信手段がメール送信した後に、駅到着を知らせる案内情報を無線送信する無線送信手段と、前記携帯端末装置に設けられ、前記メール送信手段から送信されたメールを受信した場合に、前記無線送信手段から無線送信される案内情報を自動的に受信して出力する案内情報出力手段とを具備することを特徴とする。
【００１８】
上記請求項１１又は１２のいずれかに従属する請求項１３に記載の発明では、前記案内情報出力手段は、前記携帯端末装置が音を出力している場合、その出力している音と共に、受信した案内情報をイヤホン出力することを特徴とする。
【００１９】
請求項１４に記載の発明では、携帯端末装置の周囲の音を集音する条件を設定する設定処理と、前記設定処理により設定される条件を記憶する記憶処理と、現在の状況を検出する検出処理と、前記検出処理により検出される現在の状況が、前記記憶処理に記憶される条件を満たすか否かを判定する判定処理と、前記検出処理により検出される現在の状況が前記記憶処理に記憶される条件を満たすと前記判定処理により判定される場合に、前記携帯端末装置の周囲の音を集音して出力する出力処理とをコンピュータで実行させることを特徴とする。
【００２０】
請求項１５に記載の発明では、案内情報の始り部分を示す開始音を収録する収録処理と、前記携帯端末装置の周囲の音を集音する集音処理と、前記集音処理により集音される前記携帯端末装置の周囲の音に、前記収録処理が収録する開始音が含まれるか否かを判定する判定処理と、前記集音処理が集音する前記携帯端末装置の周囲の音に、前記収録処理が収録する開始音が含まれると前記判定処理により判定される場合に、前記集音処理により集音される前記携帯端末装置の周囲の音を出力する出力処理とをコンピュータで実行させることを特徴とする。
【発明の効果】
【００２１】
本発明では、検出される現在の状況が、案内情報を取得する条件を満たすか否かを判定し、案内情報を取得する条件を満たすと判定された場合に、周囲の音を集音して出力する。これにより、到着駅に接近する際に行われる車内放送が聴き取り難かったり、聞き逃す虞が無くなる為、目的地が近付いたときに、ユーザに状況を案内することができる。
【発明を実施するための最良の形態】
【００２２】
以下、図面を参照して本発明の実施の形態について説明する。
［第１実施形態］  
Ａ．構成  
（１）システム構成（発明の概要）
図１は、本発明の第１実施形態による案内システムの全体構成を示すブロック図である。この図に示す案内システムは、ユーザが携行する携帯端末１０、駅構内に設置される改札装置２０並びにデータ中継器３０、各列車に配備されるサービス提供装置４０からなる。
【００２３】
改札装置２０は、改札口を通過するユーザが携行する携帯端末１０と電磁結合方式により非接触でデータ通信を行って運賃徴収する周知の改札チェックを行うと共に、携帯端末１０から送信される案内用データを受信する。案内用データとは、携帯端末１０を識別する電話番号と到着駅とを表すデータである。
【００２４】
改札装置２０では、改札時に携帯端末１０から受信した案内用データを次段のデータ中継器３０に転送する。データ中継器３０は、通常の時刻表と同様の時刻表テーブルを備える。データ中継器３０では、改札装置２０から転送される案内用データに含まれる到着駅と、携帯端末１０の改札時刻とに応じて、時刻表テーブルから携帯端末１０を携行するユーザが乗車すると思われる列車を特定し、特定した列車に配備されるサービス提供装置４０宛に案内用データを無線送信する。
【００２５】
サービス提供装置４０は、データ中継器３０から無線送信される案内用データを受信する。サービス提供装置４０では、受信した案内用データに含まれる到着駅の到着予定時刻を算出し、その到着予定時刻になった時点で到着を知らせるメールを、案内用データに含まれる電話番号宛に送信してから一定時間経過後に、駅到着を知らせる車内放送を無線送信する。なお、メール送信には、例えば周知のＳＭＳ（Short Message Service）機能を使用する。
【００２６】
乗車中のユーザが携行する携帯端末１０では、サービス提供装置４０が発したメール（ＳＭＳ）をキャリア経由で受信すると、自動的にＦＭ受信部を起動させてサービス提供装置４０が無線送信する車内放送を受信してイヤホン出力する。この際、ユーザが携帯端末１０で音楽再生していても、その再生される音楽と共に、受信した車内放送をイヤホン出力するので、車内放送が聴き取り難かったり、聞き逃す虞が無くなる。この結果、目的地が近付いたときに、ユーザに状況を案内することが可能になる。
【００２７】
（２）携帯端末１０の構成
次に、図２を参照して携帯端末１０の構成を説明する。図２は、携帯端末１０の構成を示すブロック図である。この図において、操作部１００は、パワーオンオフする電源スイッチを始め、通話開始／終了時に操作されるオフフック／オンフックスイッチ等の通話操作に関する各種操作キー・ボタンの他、後述の非接触通信部１０８の起動を指示する操作キー、メール送受信操作に係わる操作キーおよび音楽再生の開始・終了を指示する操作キー等を備え、これらキーやボタンの操作に応じたイベントを発生して制御部１０１に供給する。
【００２８】
制御部１０１は、操作部１００から供給されるイベントに応じて、携帯端末１０の各部動作を制御する他、リアルタイムクロックに基づき現在時刻情報を発生する機能を有する。本発明の要旨に係わる制御部１０１の特徴的な処理動作については追って詳述する。ＲＯＭ１０２は、プログラムエリアおよびデータエリアを備える。ＲＯＭ１０２のプログラムエリアには、制御部１０１により実行される各種プログラムが記憶される。各種プログラムとは、後述する「端末処理」、「到着お知らせモード設定処理」および「到着お知らせ処理」を含む。ＲＯＭ１０２のデータエリアには、所定のプログラムにより参照される制御データの他、例えば待受画面などを形成する各種画面データが記憶される。
【００２９】
ＲＡＭ１０３は、ワークエリアおよびデータエリアを備える。ＲＡＭ１０３のワークエリアには、制御部１０１が実行する各種処理に用いられるフラグやレジスタデータが一時記憶される。ＲＡＭ１０３のデータエリアは、さらに加入者データエリア、音楽データエリア、テーブルデータエリアおよび録音データエリアからなる。加入者データエリアには、電話番号（加入者識別番号）の他、発着信履歴データ、メールデータ等が格納される。音楽データエリアには、例えばＭＰ３形式などに圧縮された各種曲の音楽データが格納される。テーブルデータエリアには、駅名テーブル１０３ａおよび目的地テーブル１０３ｂが設けられる。録音データエリアには、マイク１０９ａを用いて収録される音（開始音又は終了音）が録音される。
【００３０】
ここで、図３〜図４を参照してＲＡＭ１０３のテーブルデータエリアに設けられる駅名テーブル１０３ａおよび目的地テーブル１０３ｂの構成について説明する。図３は、駅名テーブル１０３ａの構成を示す図である。駅名テーブル１０３ａには、選択可能な複数の駅名と、それら駅名毎の位置情報とが対応付けて記憶されるテーブルである。位置情報は、後述のＧＰＳ受信部１０６が検出する位置情報と同様の形式（緯度および経度）で表される。
【００３１】
図４は、目的地テーブル１０３ｂの構成を示す図である。目的地テーブル１０３ｂは、目的地となる駅名毎の位置情報と範囲情報とが記憶される。これら駅名テーブル１０３ａおよび目的地テーブル１０３ｂを用いる処理動作については、後述の第２実施形態において言及する。
【００３２】
再び図１を参照して携帯端末１０の構成について説明を進める。図１において、表示部１０４は、カラー液晶パネルおよび表示ドライバから構成され、制御部１０１の制御の下に、各種操作画面を表示する。無線通信部１０５は、アンテナＡＮＴ１を介して受信復調した受信データを制御部１０１に出力する一方、制御部１０１から供給される送信データを変調して得た送信信号を高周波増幅してアンテナＡＮＴ１から送信する。ＧＰＳ受信部１０６は、制御部１０１の制御の下に、アンテナＡＮＴ２を介して受信するＧＰＳ信号に基づき現在位置を検出して制御部１０１に出力する。
【００３３】
ＦＭ受信部１０７は、制御部１０１の制御の下に、アンテナＡＮＴ３を介してＦＭ放送や、ＦＭ放送帯でサービス提供装置４０が小電力送信する車内放送を受信して制御部１０１に出力する。非接触通信部１０８は、制御部１０１の制御の下に、改札装置２０と電磁結合方式により非接触データ通信を行い、これにより乗車運賃を決済する周知の改札チェックを行うと共に、改札装置２０側へ自己の電話番号および到着駅を含む案内用データを送信する。通話部１０９は、マイク１０９ａ、スピーカ１０９ｂおよびイヤホン１０９ｃを備え、制御部１０１から供給される音声データを音声信号にＤ／Ａ変換してスピーカ１０９ｂ又はイヤホン１０９ｃから発音させたり、マイク１０９ａから出力される音声信号を音声データにＡ／Ｄ変換して制御部１０１に供給する。
【００３４】
（３）サービス提供装置４０の構成
次に、図５を参照してサービス提供装置４０の構成を説明する。図５は、サービス提供装置４０の構成を示すブロック図である。この図において、操作部４００は、パワーオンオフする電源スイッチや、車内放送を開始する際に操作する操作キーなどを備え、各操作に応じたイベントを発生して制御部４０１に供給する。制御部４０１は、操作部４００から供給されるイベントに応じて、サービス提供装置４０の各部動作を制御する他、リアルタイムクロックに基づき現在時刻情報を発生する機能を有する。本発明の要旨に係わる制御部４０１の特徴的な処理動作については追って詳述する。
【００３５】
ＲＯＭ４０２は、プログラムエリアおよびデータエリアを備える。ＲＯＭ４０２のプログラムエリアには、制御部４０１により実行される各種プログラムが記憶される。各種プログラムとは、後述する「サービス提供処理」、「到着お知らせモード設定処理」および「到着お知らせ処理」を含む。ＲＯＭ４０２のデータエリアには、所定のプログラムにより参照される制御データが記憶される。
【００３６】
ＲＡＭ４０３は、ワークエリアおよびデータエリアを備える。ＲＡＭ１０３のワークエリアには、制御部４０１が実行する各種処理に用いられるフラグやレジスタデータが一時記憶される。ＲＡＭ４０３のデータエリアには、時刻表テーブル４０３ａ、車内放送データ４０３ｂおよび端末データ４０３ｃが格納される。時刻表テーブル４０３ａは、本サービス提供装置４０を備える列車が停車する各駅毎の到着・発車時刻を記憶したテーブルである。車内放送データ４０３ｂは、到着駅を人声音で案内するための合成音声データである。端末データ４０３ｃは、前述したデータ中継器３０が送信した案内用データである。すなわち、本サービス提供装置４０を備える列車に乗車しているユーザが所有する携帯端末１０の電話番号と到着駅とを表すデータである。
【００３７】
表示部４０４は、カラー液晶パネルおよび表示ドライバから構成され、制御部４０１の制御の下に、各種操作画面を表示する。無線通信部４０５は、制御部４０１の制御の下に、上記端末データ４０３ｃに従って乗車しているユーザが携行する携帯端末１０宛にメール（ＳＭＳ）送信する。ＧＰＳ受信部４０６は、制御部４０１の制御の下に、アンテナＡＮＴ２を介して受信するＧＰＳ信号に基づき現在位置を検出して制御部４０１に出力する。ＦＭ送受信部４０７は、制御部１０１の制御の下に、データ中継器３０から送信される案内用データを受信する一方、到着駅を人声音で案内する車内放送データ４０３ｂを送信する。
【００３８】
Ｂ．動作
次に、図６〜図１１を参照して第１実施形態の動作について説明する。以下では、最初に携帯端末１０が実行する「端末処理」、「到着お知らせモード設定処理」および「到着お知らせ処理」の各動作を説明した後、続いてサービス提供装置４０が実行する「サービス提供処理」、「到着お知らせモード設定処理」および「到着お知らせ処理」の各動作を説明する。
【００３９】
（１）携帯端末１０の動作  
ａ．端末処理の動作  
図６は、携帯端末１０の制御部１０１が実行する端末処理の動作を示すフローチャートである。携帯端末１０に電源が投入されると、制御部１０１は図６に図示する端末処理を実行してステップＳＡ１に処理を進める。ステップＳＡ１〜ＳＡ４では、改札通過イベントの有無、取得開始ＳＭＳ受信イベントの有無、音楽再生開始イベントの有無、音楽再生終了イベントの有無および電源オフイベントの有無をそれそれ判断する。以下、これら各イベントが発生する場合に分けて動作を説明する。
【００４０】
＜改札通過イベントが発生した場合＞
非接触通信部１０８の起動を指示する操作キーを操作した後、前述した改札装置２０の改札通過に応じて改札通過イベントが発生すると、ステップＳＡ１の判断結果が「ＹＥＳ」になり、ステップＳＡ６に進み、到着お知らせモード設定処理を実行する。
【００４１】
後述するように、到着お知らせモード設定処理では、非接触通信部１０８から改札装置２０側へ自己の電話番号および到着駅を表す案内用データを送信すると共に、この案内用データの送信に応じてサービス提供装置４０側から返送される設定完了通知を受信する。
【００４２】
なお、改札装置２０では、改札時に携帯端末１０から受信した案内用データをデータ中継器３０に転送する。データ中継器３０は、改札装置２０から転送される案内用データに含まれる到着駅と、携帯端末１０の改札時刻とに応じて、時刻表テーブルから携帯端末１０のユーザが乗車すると思われる列車を特定し、特定した列車に配備されるサービス提供装置４０宛に案内用データを無線送信するようになっている。サービス提供装置４０は、案内用データを受信して到着お知らせモード設定処理（後述する）を行い、そのモード設定が完了した時点で設定完了通知を携帯端末１０側へ無線送信するようになっている。
【００４３】
＜取得開始ＳＭＳ受信イベントが発生した場合＞
後述するように、サービス提供装置４０は、到着予定時刻になると、メール（取得開始ＳＭＳ）を送信する。端末装置１０では、このメールを受信すると、取得開始ＳＭＳ受信イベントが発生する。これによりステップＳＡ２の判断結果が「ＹＥＳ」になり、ステップＳＡ７に進み、到着お知らせ処理を実行する。
【００４４】
後述するように、到着お知らせ処理では、ＦＭ受信部１０７を起動して、サービス提供装置４０が無線送信する車内放送データ（車内案内）を受信し、そのとき音楽再生中ならば、その受信した車内放送データを、再生中の音楽と共に再生してイヤホン１０９ａから出力させ、車内放送データの再生が完了した時点でＦＭ受信部１０７をオフする。こうすることによって、車内放送が聴き取り難かったり、聞き逃す虞が無くなる為、目的地が近付いたときに、ユーザに状況を案内することが可能になる。
【００４５】
＜音楽再生開始イベントが発生した場合＞
音楽再生の開始を指示する操作キーの操作に応じて音楽再生開始イベントが発生した場合には、ステップＳＡ３の判断結果が「ＹＥＳ」になり、ステップＳＡ８に進み、指定曲の再生開始を指示する。これにより、音楽再生機能が起動され、ＲＡＭ１０３の音楽データエリアに格納される、指定曲の音楽データが再生される。
【００４６】
＜音楽再生終了イベントが発生した場合＞
音楽再生の終了を指示する操作キーの操作に応じて音楽再生終了イベントが発生した場合には、ステップＳＡ４の判断結果が「ＹＥＳ」になり、ステップＳＡ９に進み、再生終了を指示する。これにより、音楽再生機能がオフされて音楽データの再生が終了する。
【００４７】
＜電源オフイベントが発生した場合＞
電源スイッチ操作に応じて電源オフイベントが発生すると、ステップＳＡ５の判断結果が「ＹＥＳ」になり、本処理を終える。なお、上述した各イベントがいずれも発生しない状況では、ステップＳＡ１〜ＳＡ５の各判断結果は「ＮＯ」になり、これらステップＳＡ１〜ＳＡ５を繰り返し判断するイベント待ち状態となる。
【００４８】
ｂ．到着お知らせモード設定処理の動作
次に、図７を参照して到着お知らせモード設定処理の動作を説明する。上述した端末処理のステップＳＡ６（図６参照）を介して本処理が実行されると、制御部１０１は図７に図示するステップＳＢ１に処理を進め、自己の電話番号および到着駅を表す案内用データを、非接触通信部１０８から改札装置２０側へ送信する。続いて、ステップＳＢ２では、サービス提供装置４０から設定完了通知が返送されるまで待機する。そして、サービス提供装置４０から設定完了通知を受信すると、ここでの判断結果が「ＹＥＳ」となり、本処理を完了させる。
【００４９】
ｃ．到着お知らせ処理の動作
次に、図８を参照して到着お知らせ処理の動作を説明する。上述した端末処理のステップＳＡ７（図６参照）を介して本処理が実行されると、制御部１０１は図８に図示するステップＳＣ１に処理を進め、ＦＭ受信部１０７を起動して、サービス提供装置４０から無線送信される車内放送データ（車内案内）を受信する。この車内放送データとは、例えば次の到着する駅名や乗り換え案内などを含む。
【００５０】
続いて、ステップＳＣ２では、現在音楽再生中であって、再生される音楽をイヤホン１０９ｃを使用して聴取中であるか否かを判断する。イヤホン１０９ａで聴取中ならば、判断結果は「ＹＥＳ」になり、ステップＳＣ３に進み、上記ステップＳＣ１で取得した車内放送データを、再生中の音楽にミキシングしてイヤホン１０９ａから出力させる。
【００５１】
一方、音楽再生中でなければ、上記ステップＳＣ２の判断結果は「ＮＯ」となり、ステップＳＣ４に進み、上記ステップＳＣ１で取得した車内放送データをイヤホン１０９ａから出力させる。そして、ステップＳＣ５では、上記ステップＳＣ１で取得した車内放送データの再生が完了するまで一定時間待機する。そして、一定時間待機後、車内放送データの再生が完了すると、ここでの判断結果が「ＹＥＳ」になり、ステップＳＣ６に進み、ＦＭ受信部１０７をオフ設定して車内案内の取得を終了させてから本処理を完了させる。
【００５２】
（２）サービス提供装置４０の動作  
ａ．サービス提供処理の動作  
図９は、サービス提供装置４０の制御部４０１が実行するサービス提供処理の動作を示すフローチャートである。サービス提供装置４０に電源が投入されると、制御部４０１は図９に図示するサービス提供処理を実行してステップＳＤ１に処理を進める。ステップＳＤ１〜ＳＤ４では、車内放送開始イベントの有無、案内用データ（電話番号・到着駅）の受信イベントの有無、到着お知らせモードオン設定の有無および終了イベントの有無をそれそれ判断する。以下、これら各場合に分けて動作を説明する。
【００５３】
＜車内放送開始イベントが発生した場合＞
車掌の車内放送開始操作に応じて車内放送開始イベントが発生すると、ステップＳＤ１の判断結果は「ＹＥＳ」になり、ステップＳＤ５に進む。ステップＳＤ５では、一定時間経過するまで待機する。この一定時間とは、携帯端末１０側がメール（取得開始ＳＭＳ）を受信しＦＭ受信部１０７を起動し終えるまでの期間に相当する。そして、一定時間待機すると、上記ステップＳＤ５の判断結果が「ＹＥＳ」となり、ステップＳＤ６に進み、車内放送データ（車内案内）を無線送信する。
【００５４】
＜案内用データ（電話番号・到着駅）の受信イベントが発生した場合＞
データ中継器３０（図１参照）から案内用データを受信すると、ステップＳＤ２の判断結果が「ＹＥＳ」になり、ステップＳＤ７に進み、到着お知らせモード設定処理を実行する。
【００５５】
後述するように、到着お知らせモード設定処理では、データ中継器３０から受信した案内用データ（電話番号・到着駅）を、端末データ４０３ｃとしてＲＡＭ４０３に登録すると共に、時刻表テーブル４０３ａを参照して、その端末データ４０３ｃ（案内用データ）に含まれる到着駅への到着予定時刻を算出してＲＡＭ４０３に登録する。そして、到着予定時刻を登録し終えると、到着お知らせモードをオン設定した後、設定完了通知を携帯端末１０側へ無線送信する。
【００５６】
＜到着お知らせモードがオン設定された場合＞
後述する到着お知らせモード設定処理により到着お知らせモードがオン設定されると、ステップＳＤ３の判断結果が「ＹＥＳ」となり、ステップＳＤ８に進み、到着お知らせ処理を実行する。
【００５７】
後述するように、到着お知らせ処理では、現在時刻を取得し、取得した現在時刻が、到着お知らせモード設定処理（図１０参照）で算出される到着予定時刻の範囲（例えば５分前）にあると、ＲＡＭ４０３に登録した端末データ４０３ｃ（案内用データ）に含まれる電話番号を宛先とした取得開始ＳＭＳ（メール）を送信する。
【００５８】
＜終了イベントが発生した場合＞
終了操作に応じて終了イベントが発生すると、ステップＳＤ４の判断結果が「ＹＥＳ」になり、本処理を終える。なお、上述した各イベントがいずれも発生しない状況では、ステップＳＤ１〜ＳＤ４の各判断結果が「ＮＯ」になり、これらステップＳＤ１〜ＳＤ４を繰り返し判断するイベント待ち状態となる。
【００５９】
ｂ．到着お知らせモード設定処理の動作
次に、図１０を参照して到着お知らせモード設定処理の動作を説明する。上述したサービス提供処理のステップＳＤ７（図９参照）を介して本処理が実行されると、制御部４０１は図１０に図示するステップＳＥ１に処理を進め、データ中継器３０から受信した案内用データ（電話番号・到着駅）を、端末データ４０３ｃとしてＲＡＭ４０３に登録する。
【００６０】
次いで、ステップＳＥ２〜ＳＥ４では、ＲＡＭ４０３に登録した端末データ４０３ｃ（案内用データ）に含まれる到着駅への到着予定時刻を、ＲＡＭ４０３に格納される時刻表テーブル４０３ａを参照して算出し、算出した到着予定時刻をＲＡＭ４０３のワークエリアに登録する。そして、到着予定時刻を登録し終えると、ステップＳＥ５に進み、到着お知らせモードをオン設定する。この後、ステップＳＥ６に進み、到着お知らせモード設定の完了を表す設定完了通知を携帯端末１０側へ無線送信して本処理を完了させる。
【００６１】
ｃ．到着お知らせ処理の動作
次に、図１１を参照して到着お知らせ処理の動作を説明する。上述したサービス提供処理のステップＳＤ８（図９参照）を介して本処理が実行されると、制御部４０１は図１１に図示するステップＳＦ１に処理を進め、現在時刻を取得する。次いで、ステップＳＦ２では、取得した現在時刻が、到着お知らせモード設定処理（図１０参照）で算出される到着予定時刻の範囲（例えば５分前）にあるか否かを判断する。現在時刻が到着予定時刻の範囲に含まれなければ、判断結果は「ＮＯ」となり、何も行わずに一旦、本処理を完了させる。
【００６２】
これに対し、現在時刻が到着予定時刻の範囲にあると、上記ステップＳＦ２の判断結果が「ＹＥＳ」になり、ステップＳＦ３に進み、ＲＡＭ４０３に登録した端末データ４０３ｃ（案内用データ）に含まれる電話番号を宛先とした取得開始ＳＭＳ（メール）を無線通信部４０５から送信する。なお、無線通信部４０５から送信される取得開始ＳＭＳ（メール）は、移動体通信網を介して宛先の携帯端末１０に送達される。
【００６３】
このように、第１実施形態では、携帯端末１０を所有するユーザが改札装置２０の改札口を通過すると、改札装置２０と携帯端末１０とが電磁結合方式により非接触でデータ通信を行って運賃徴収する周知の改札チェックを行うと共に、携帯端末１０から改札装置２０に電話番号と到着駅とを表す案内用データが送信される。この案内用データは、改札装置２０からデータ中継器３０に転送される。データ中継器３０では、改札装置２０から転送された案内用データに含まれる到着駅と、携帯端末１０の改札時刻とに応じて、時刻表テーブルから携帯端末１０のユーザが乗車すると思われる列車を特定し、特定した列車に配備されるサービス提供装置４０宛に案内用データを無線送信する。
【００６４】
サービス提供装置４０では、データ中継器３０から受信した案内用データに含まれる到着駅の到着予定時刻を算出し、その到着予定時刻になった時点で到着を知らせるメール（ＳＭＳ）を、案内用データに含まれる電話番号宛に送信した後、駅到着を知らせる車内放送を無線送信する。サービス提供装置４０が発したメール（ＳＭＳ）をキャリア経由で受信した携帯端末１０では、自動的にＦＭ受信部を起動させてサービス提供装置４０が無線送信する車内放送を受信してイヤホン出力する。この際、ユーザが携帯端末１０で音楽再生していても、その再生される音楽と共に、受信した車内放送をイヤホン出力する。これにより、車内放送が聴き取り難かったり、聞き逃す虞が無くなる為、目的地が近付いたときに、ユーザに状況を案内することができる。
【００６５】
［第１実施形態の変形例］
次に、上述した第１実施形態の変形例について説明する。第１実施形態では、改札通過の際に、改札装置２０と携帯端末１０とが電磁結合方式により非接触でデータ通信を行って携帯端末１０から改札装置２０に電話番号と到着駅とを表す案内用データを送信する態様とした。これに対し、変形例では、車掌が使用する検札装置（不図示）と携帯端末１０とが電磁結合方式により非接触でデータ通信を行い、携帯端末１０から検札装置に案内用データを送信する。検札装置は、携帯端末１０から受信した案内用データを、列車内に配備されるサービス提供装置４０に無線送信する。以下、こうした変形例において携帯端末１０が実行する端末処理、サービス提供装置４０が実行する到着お知らせモード設定処理および到着お知らせ処理の各動作を説明する。
【００６６】
ａ．携帯端末１０の端末処理の動作
図１２は、携帯端末１０の制御部１０１が実行する変形例による端末処理の動作を示すフローチャートである。携帯端末１０に電源が投入されると、制御部１０１は図１２に図示する端末処理を実行してステップＳＧ１に処理を進める。ステップＳＧ１〜ＳＧ４では、検札完了イベントの有無、取得開始ＳＭＳ受信イベントの有無、音楽再生開始イベントの有無、音楽再生終了イベントの有無および電源オフイベントの有無をそれそれ判断する。以下、これら各イベントが発生する場合に分けて動作を説明する。
【００６７】
＜検札イベントが発生した場合＞
検札イベントが発生すると、ステップＳＧ１の判断結果が「ＹＥＳ」になり、制御部１０１はステップＳＧ６に処理を進め、第１実施形態と同様、非接触通信部１０８から検札装置側へ自己の電話番号および到着駅を表す案内用データを送信すると共に、この案内用データの送信に応じてサービス提供装置４０側から返送される設定完了通知を受信する到着お知らせモード設定処理を実行する。
【００６８】
＜取得開始ＳＭＳ受信イベントが発生した場合＞
サービス提供装置４０から送信された取得開始ＳＭＳを受信すると、ステップＳＧ２の判断結果が「ＹＥＳ」になり、ステップＳＧ７に進み、第１実施形態と同様、ＦＭ受信部１０７を起動して、サービス提供装置４０が無線送信する車内放送データ（車内案内）を受信し、そのとき音楽再生中ならば、その受信した車内放送データを、再生中の音楽と共に再生してイヤホン１０９ａから出力させ、車内放送データの再生が完了した時点でＦＭ受信部１０７をオフする到着お知らせ処理を実行する。
【００６９】
＜音楽再生開始イベントが発生した場合＞
音楽再生の開始を指示する操作キーの操作に応じて音楽再生開始イベントが発生した場合には、ステップＳＧ３の判断結果が「ＹＥＳ」になり、ステップＳＧ８に進み、指定曲の再生開始を指示する。これにより、音楽再生機能が起動され、ＲＡＭ１０３の音楽データエリアに格納される、指定曲の音楽データが再生される。
【００７０】
＜音楽再生終了イベントが発生した場合＞
音楽再生の終了を指示する操作キーの操作に応じて音楽再生終了イベントが発生した場合には、ステップＳＧ４の判断結果が「ＹＥＳ」になり、ステップＳＧ９に進み、再生終了を指示する。これにより、音楽再生機能がオフされて音楽データの再生が終了する。
【００７１】
＜電源オフイベントが発生した場合＞
電源スイッチ操作に応じて電源オフイベントが発生すると、ステップＳＧ５の判断結果が「ＹＥＳ」になり、本処理を終える。なお、上述した各イベントがいずれも発生しない状況では、ステップＳＧ１〜ＳＧ５の各判断結果は「ＮＯ」になり、これらステップＳＧ１〜ＳＧ５を繰り返し判断するイベント待ち状態となる。
【００７２】
ｂ．サービス提供装置４０の到着お知らせモード設定処理の動作
次に、図１３を参照してサービス提供装置４０が実行する変形例による到着お知らせモード設定処理の動作を説明する。第１実施形態と同様に、サービス提供処理のステップＳＤ７（図９参照）を介して本処理が実行されると、制御部４０１は図１３に図示するステップＳＨ１に処理を進め、検札装置から受信した案内用データ（電話番号・到着駅）を、端末データ４０３ｃとしてＲＡＭ４０３に登録する。次いで、ステップＳＨ２では、到着お知らせモードをオン設定する。そして、ステップＳＨ３では、到着お知らせモード設定の完了を表す設定完了通知を携帯端末１０側へ無線送信して本処理を完了させる。
【００７３】
ｃ．サービス提供装置４０の到着お知らせ処理の動作
次に、図１４を参照してサービス提供装置４０が実行する変形例による到着お知らせ処理の動作を説明する。第１実施形態と同様に、サービス提供処理のステップＳＤ８（図９参照）を介して本処理が実行されると、制御部４０１は図１４に図示するステップＳＪ１に処理を進め、車掌による車内放送開始操作の有無を検出する。車内放送開始操作が検出されなければ、判断結果は「ＮＯ」となり、何も行わずに本処理を終えるが、車内放送開始操作を検出すると、判断結果が「ＹＥＳ」になり、ステップＳＪ２に進む。
【００７４】
ステップＳＪ２では、放送しようとする車内放送が、端末データ４０３ｃに含まれる到着駅を案内する到着案内であるかどうかを判断する。車内放送が到着案内でなければ、判断結果は「ＮＯ」になり、本処理を終える。一方、到着案内ならば、判断結果が「ＹＥＳ」になり、ステップＳＪ３に進み、ＲＡＭ４０３に登録される端末データ４０３ｃ（案内用データ）に含まれる電話番号を宛先とした取得開始ＳＭＳ（メール）を無線通信部４０５から送信する。なお、無線通信部４０５から送信される取得開始ＳＭＳ（メール）は、移動体通信ネットワークを介して宛先の携帯端末１０に送達される。
【００７５】
このように、変形例では、検札装置から受信した案内用データを端末データ４０３ｃとしてサービス提供装置４０のＲＡＭ４０３に登録しておき、放送しようとする車内放送が端末データ４０３ｃに含まれる到着駅を案内する到着案内であると、サービス提供装置４０は到着を知らせるメール（ＳＭＳ）を、端末データ４０３ｃ（案内用データ）に含まれる電話番号宛に送信した後、駅到着を知らせる車内放送を無線送信する。
【００７６】
サービス提供装置４０が発したメール（ＳＭＳ）をキャリア経由で受信した携帯端末１０は、自動的にＦＭ受信部を起動させてサービス提供装置４０が無線送信する車内放送を受信してイヤホン出力する。この際、ユーザが携帯端末１０で音楽再生していても、その再生される音楽と共に、受信した車内放送をイヤホン出力する。これにより、車内放送が聴き取り難かったり、聞き逃す虞が無くなる為、目的地が近付いたときに、ユーザに状況を案内することができる。
【００７７】
［第２実施形態］
次に、図１５〜図１８を参照して第２実施形態について説明する。前述した第１実施形態では、サービス提供装置４０から到着を知らせるメール（ＳＭＳ）を受信した携帯端末１０が車内放送を自動的に受信してイヤホン出力することによって、目的地の接近をユーザに案内する。これに対して、第２実施形態では、携帯端末１０単体だけで目的地の接近をユーザに案内する。第２実施形態による携帯端末１０の構成は上述した第１実施形態と共通するので、その説明については省略する。以下では、第２実施形態による携帯端末１０が実行する「端末処理」、「到着お知らせモード設定処理」および「到着お知らせ処理」の各動作を説明する。
【００７８】
ａ．端末処理の動作
図１５は、第２実施形態による端末処理の動作を示すフローチャートである。携帯端末１０に電源が投入されると、制御部１０１は図１５に図示する端末処理を実行してステップＳＫ１に処理を進める。ステップＳＫ１〜ＳＫ４では、モード設定開始イベントの有無、到着お知らせモードオン設定の有無、音楽再生開始イベントの有無、音楽再生終了イベントの有無および電源オフイベントの有無をそれそれ判断する。以下、これら各イベントが発生する場合に分けて動作を説明する。
【００７９】
＜モード設定開始イベントが発生した場合＞
到着お知らせモード設定開始を指示する操作に応じて到着お知らせモード設定開始イベントが発生すると、ステップＳＫ１の判断結果が「ＹＥＳ」になり、制御部１０１はステップＳＫ６に処理を進め、到着お知らせモード設定処理を実行する。
【００８０】
後述するように、到着お知らせモード設定処理では、目的地登録開始操作が行われた場合には、目的地としてユーザ選択された駅名の位置情報がＲＡＭ１０３の駅名テーブル１０３ａから読み出され、さらにユーザ選択されたお知らせ範囲を範囲情報として、駅名およびその位置情報に対応付けてＲＡＭ１０３の目的地テーブル１０３ｂに登録する。また、到着お知らせモードＯＮ／ＯＦＦ設定開始操作が行われると、表示部１０４に表示される到着お知らせモード設定画面において行われる設定操作に応じて、到着お知らせモードをオン設定（あるいはオフ設定）する。
【００８１】
＜到着お知らせモードがオン設定された場合＞
到着お知らせモード設定処理（図１６参照）による到着お知らせモードがオン設定されると、ステップＳＫ２の判断結果が「ＹＥＳ」になり、ステップＳＫ７に進み、到着お知らせ処理を実行する。
【００８２】
後述するように、到着お知らせ処理では、ＧＰＳ受信部１０６にて検出される現在位置が目的地テーブル１０３ｂに登録した範囲情報（お知らせ範囲）に含まれ、目的地（到着駅）に接近している状況になると、マイク１０９ａをオン設定して周囲音を集音し、このときイヤホン１０９ｃで音楽聴取中ならば、マイク１０９ａで集音した周囲音を再生中の音楽にミキシングしてイヤホン１０９ｃから出力させ、一方、音楽聴取中でなければ、マイク１０９ａで集音した周囲音をイヤホン１０９ｃから出力させる。こうすることで到着駅に接近する際に行われる車内放送が聴き取り難かったり、聞き逃す虞が無くなる為、目的地が近付いたときに、ユーザに状況を案内することが可能になっている。
【００８３】
＜音楽再生開始イベントが発生した場合＞
音楽再生の開始を指示する操作キーの操作に応じて音楽再生開始イベントが発生した場合には、ステップＳＫ３の判断結果が「ＹＥＳ」になり、ステップＳＫ８に進み、指定曲の再生開始を指示する。これにより、音楽再生機能が起動され、ＲＡＭ１０３の音楽データエリアに格納される、指定曲の音楽データが再生される。
【００８４】
＜音楽再生終了イベントが発生した場合＞
音楽再生の終了を指示する操作キーの操作に応じて音楽再生終了イベントが発生した場合には、ステップＳＫ４の判断結果が「ＹＥＳ」になり、ステップＳＫ９に進み、再生終了を指示する。これにより、音楽再生機能がオフされて音楽データの再生が終了する。
【００８５】
＜電源オフイベントが発生した場合＞
電源スイッチ操作に応じて電源オフイベントが発生すると、ステップＳＫ５の判断結果が「ＹＥＳ」になり、本処理を終える。なお、上述した各イベントがいずれも発生しない状況では、ステップＳＫ１〜ＳＫ５の各判断結果は「ＮＯ」になり、これらステップＳＫ１〜ＳＫ５を繰り返し判断するイベント待ち状態となる。
【００８６】
ｂ．到着お知らせモード設定処理の動作
次に、図１６を参照して到着お知らせモード設定処理の動作を説明する。上述した端末処理のステップＳＫ６（図１５参照）を介して本処理が実行されると、制御部１０１は図１６に図示するステップＳＬ１に処理を進める。ステップＳＬ１〜ＳＬ２では、目的地登録開始操作の有無および到着お知らせモードＯＮ／ＯＦＦ設定開始操作の有無を判断する。以下、目的地登録開始操作が行われた場合と、到着お知らせモードＯＮ／ＯＦＦ設定開始操作が行われた場合とに分けて動作を説明する。
【００８７】
＜目的地登録開始操作が行われた場合＞
目的地登録開始操作が行われると、ステップＳＬ１の判断結果が「ＹＥＳ」になり、ステップＳＬ３に進む。ステップＳＬ３では、ＲＡＭ１０３に設けられる駅名テーブル１０３ａを参照して表示部１０４に駅名を一覧表示する画面を形成する。これにより、例えば図１７（ａ）に図示する一例の駅名表示画面が表示部１０４に画面表示される。次いで、ステップＳＬ４では、この駅名表示画面に一覧表示される駅名の中から目的地とする駅名を選択する操作の有無を判断する。例えば図１７（ａ）に図示するように、「神田駅」を選択すると、ここでの判断結果が「ＹＥＳ」となり、ステップＳＬ５に進む。
【００８８】
ステップＳＬ５では、上記ステップＳＬ４にて選択された駅名と、この駅名に対応してＲＡＭ１０３の駅名テーブル１０３ａから読み出した位置情報とをＲＡＭ１０３の目的地テーブル１０３ｂに登録する。次いで、ステップＳＬ６では、図１７（ｂ）に図示する一例のように、お知らせ範囲を表示部１０４に一覧表示する。そして、この一覧表示されたお知らせ範囲の中からユーザ所望のお知らせ範囲を選択すると、ステップＳＬ７の判断結果が「ＹＥＳ」になり、ステップＳＬ８に進む。なお、図１７（ｂ）に図示する一例では、お知らせ範囲として「３０ｍ以内」が選択された状態を示している。
【００８９】
次いで、ステップＳＬ８では、上記ステップＳＬ５において目的地テーブル１０３ｂに登録した駅名および位置情報に対応する範囲情報として、上記ステップＳＬ７にて選択されたお知らせ範囲を登録して本処理を終える。これにより、目的地テーブル１０３ｂには、目的地の駅名、その位置情報および範囲情報（お知らせ範囲）が新規登録される。
【００９０】
＜到着お知らせモードＯＮ／ＯＦＦ設定開始操作が行われた場合＞
到着お知らせモードＯＮ／ＯＦＦ設定開始操作が行われると、ステップＳＬ２の判断結果が「ＹＥＳ」になり、ステップＳＬ９に進む。ステップＳＬ９では、図１７（ｃ）に図示する一例の到着お知らせモード設定画面を表示部１０４に表示する。続いて、ステップＳＬ１０では、この到着お知らせモード設定画面においてモードＯＮ設定操作（あるいはモードＯＦＦ設定操作）の有無を判断する。ここで、例えば図１７（ｃ）に図示するように、到着お知らせモード設定画面においてモードＯＮ設定する操作を行うと、判断結果が「ＹＥＳ」になり、ステップＳＬ１１に進み、到着お知らせモードをオン設定（あるいはオフ設定）して本処理を終える。
【００９１】
ｃ．到着お知らせ処理の動作
次に、図１８を参照して到着お知らせ処理の動作を説明する。上述した端末処理のステップＳＫ７（図１５参照）を介して本処理が実行されると、制御部１０１は図１８に図示するステップＳＭ１に処理を進める。ステップＳＭ１では、ＧＰＳ受信部１０６を起動して現在位置を取得する。続いて、ステップＳＭ２では、その取得した現在位置が、目的地テーブル１０３ｂに登録した範囲情報（お知らせ範囲）に含まれるか否か、つまり目的地（到着駅）に接近したかどうかを判断する。
【００９２】
現在位置が目的地テーブル１０３ｂに登録した範囲情報（お知らせ範囲）に含まれ、目的地（到着駅）に接近している状況であると、判断結果は「ＹＥＳ」になり、ステップＳＭ３に進み、マイク１０９ａをオン設定して周囲音を集音する。次いで、ステップＳＭ４では、現在音楽再生中であって、再生される音楽をイヤホン１０９ｃを使用して聴取中であるか否かを判断する。イヤホン１０９ｃで音楽聴取中ならば、判断結果は「ＹＥＳ」となり、ステップＳＭ５に進み、上記ステップＳＭ３にてマイク１０９ａで集音した周囲音と、再生中の音楽とをミキシングしてイヤホン１０９ｃから出力させる。一方、イヤホン１０９ｃで音楽を聴取していなければ、上記ステップＳＭ４の判断結果は「ＮＯ」になり、ステップＳＭ６に進み、上記ステップＳＭ３にてマイク１０９ａで集音した周囲音をイヤホン１０９ｃから出力させる。
【００９３】
これに対し、現在位置が目的地テーブル１０３ｂに登録した範囲情報（お知らせ範囲）に含まれないと、上述したステップＳＭ２の判断結果は「ＮＯ」となり、ステップＳＭ７に処理を進める。ステップＳＭ７では、マイクスイッチがオン設定されているか否かを判断する。マイクスイッチがオフ設定されていれば、判断結果は「ＮＯ」となり、内も行わずに本処理を終えるが、マイクスイッチがオン設定されていると、判断結果が「ＹＥＳ」となり、ステップＳＭ８に進む。マイクスイッチがオン設定されているということは、以前、現在位置が目的地テーブル１０３ｂに登録した範囲情報（お知らせ範囲）に含まれていたということであり、今回は含まれていないということは、換言すると、目的地テーブル１０３ｂに登録した範囲情報（お知らせ範囲）から外れたということである。ステップＳＭ８では、マイクスイッチをオフ設定して周囲音の集音を中止し、続くステップＳＭ９では、集音した周囲音をイヤホン１０９ｃから出力させるのを中止して本処理を終える。
【００９４】
以上のように、第２実施形態では、目的地を登録する操作を行うと、目的地として選択された駅名の位置情報がＲＡＭ１０３の駅名テーブル１０３ａから読み出され、さらにユーザ選択されたお知らせ範囲が範囲情報として、駅名およびその位置情報に対応付けてＲＡＭ１０３の目的地テーブル１０３ｂに登録される。目的地を登録してから到着お知らせモードをオン設定すると、ＧＰＳ受信部１０６にて検出される現在位置が目的地テーブル１０３ｂに登録した範囲情報（お知らせ範囲）に含まれ、目的地（到着駅）に接近した場合に、マイク１０９ａをオン設定して周囲音を集音し、そのときイヤホン１０９ｃで音楽聴取中ならば、マイク１０９ａで集音した周囲音を再生中の音楽にミキシングしてイヤホン１０９ｃから出力させ、一方、音楽聴取中でなければ、マイク１０９ａで集音した周囲音をイヤホン１０９ｃから出力させる。この結果、到着駅に接近する際に行われる車内放送が聴き取り難かったり、聞き逃す虞が無くなる為、目的地が近付いたときに、ユーザに状況を案内することができる。
【００９５】
［第３実施形態］
次に、図１９〜図２６を参照して第３実施形態について説明する。第３実施形態では、上述の第２実施形態と同様、携帯端末１０単体だけで目的地が接近したときにユーザに状況案内する。第３実施形態による端末処理は、上述の第２実施形態と同一なので、その動作説明については省略する。以下では、第２実施形態と相違する動作、すなわち第３実施形態による到着お知らせモード設定処理、モードＯＮ／ＯＦＦ設定処理、到着時刻設定処理、開始音・終了音設定処理および到着お知らせ処理の各動作を説明する。
【００９６】
ａ．到着お知らせモード設定処理の動作
図１９は、第３実施形態による到着お知らせモード設定処理の動作を示すフローチャートである。前述した第２実施形態と同様、端末処理のステップＳＫ６（図１５参照）を介して本処理が実行されると、制御部１０１は図１９に図示するステップＳＮ１に処理を進め、モードＯＮ／ＯＦＦ設定処理を実行する。後述するように、モードＯＮ／ＯＦＦ設定処理では、表示部１０４に表示される到着お知らせモード設定画面においてモードＯＮ設定操作（あるいはモードＯＦＦ設定操作）を行ってモードＯＮ設定（あるいはモードＯＦＦ設定）を行う。
【００９７】
続いて、ステップＳＮ２では、到着時刻設定処理を実行する。後述するように、到着時刻設定処理では、到着時刻入力画面で入力される到着時刻と、お知らせ範囲選択画面で選択したお知らせ範囲とをＲＡＭ１０３にストアする。そして、ステップＳＮ３では、例えば駅到着前に行われる車内放送の始り部分を開始音として録音すると共に、その車内放送の終わり部分を終了音として録音する開始音・終了音設定処理を実行する。
【００９８】
ｂ．モードＯＮ／ＯＦＦ設定処理の動作
次に、図２０〜図２１を参照してモードＯＮ／ＯＦＦ設定処理の動作を説明する。上述した到着お知らせモード設定処理のステップＳＮ１（図１９参照）を介して本処理が実行されると、制御部１０１は図２０に図示するステップＳＰ１に処理を進め、例えば図２１に図示する一例の到着お知らせモード設定画面を表示部１０４に表示する。
【００９９】
続いて、ステップＳＰ２では、この到着お知らせモード設定画面においてモードＯＮ設定操作（あるいはモードＯＦＦ設定操作）の有無を判断する。ここで、例えば図２１に図示するように、到着お知らせモード設定画面においてモードＯＮ設定する操作を行うと、判断結果が「ＹＥＳ」になり、ステップＳＰ３に進み、到着お知らせモードをオン設定して本処理を終える。
【０１００】
ｃ．到着時刻設定処理の動作
次に、図２２〜図２３を参照して到着時刻設定処理の動作を説明する。上述した到着お知らせモード設定処理のステップＳＮ２（図１９参照）を介して本処理が実行されると、制御部１０１は図２２に図示するステップＳＱ１に処理を進め、表示部１０４に到着時刻入力画面を表示する。図２３（ａ）は、到着時刻入力画面の一例を示す図である。続いて、ステップＳＱ２では、到着時刻入力画面における到着時刻の入力の有無を判断する。そして、到着時刻入力画面に到着時刻が入力されると、判断結果が「ＹＥＳ」になり、ステップＳＱ３に進む。
【０１０１】
ステップＳＱ３では、到着時刻入力画面で入力された到着時刻をＲＡＭ１０３のワークエリアにストアする。次いで、ステップＳＱ４では、例えば図２３（ｂ）に図示する一例のように、お知らせ範囲選択画面を表示部１０４に一覧表示する。そして、このお知らせ範囲選択画面に一覧表示されたお知らせ範囲の中からユーザ所望のお知らせ範囲を選択すると、ステップＳＱ５の判断結果が「ＹＥＳ」になり、ステップＳＱ６に進む。なお、図２３（ｂ）に図示する一例では、お知らせ範囲として「５分前」が選択された状態を示している。次いで、ステップＳＱ６では、上記ステップＳＱ５にて選択されたお知らせ範囲をＲＡＭ１０３のワークエリアにストアして本処理を終える。
【０１０２】
ｄ．開始音・終了音設定処理の動作
次に、図２４〜図２５を参照して開始音・終了音設定処理の動作を説明する。上述した到着お知らせモード設定処理のステップＳＮ３（図１９参照）を介して本処理が実行されると、制御部１０１は図２４に図示するステップＳＲ１に処理を進める。ステップＳＲでは、図２５（ａ）に図示する一例の録音開始操作画面を表示部１０４に表示して録音開始操作を促す。そして、録音開始操作がなされると、ここでの判断結果が「ＹＥＳ」になり、ステップＳＲ２に進み、開始音の録音を開始する。これにより、マイク１０９ａを用いて収録する開始音がＲＡＭ１０３の録音データエリアに記録される。なお、開始音とは、例えば駅到着前に行われる車内放送の始り部分を指す。
【０１０３】
次いで、ステップＳＲ３では、録音終了操作の有無を判断し、録音終了操作がなされると、ここでの判断結果が「ＹＥＳ」になり、ステップＳＲ４に進み、開始音の録音を終了させる。次に、ステップＳＲ５では、図２５（ｂ）に図示する一例の録音開始操作画面を表示部１０４に表示して録音開始操作を促す。そして、録音開始操作がなされると、ここでの判断結果が「ＹＥＳ」になり、ステップＳＲ６に進み、終了音の録音を開始する。
【０１０４】
これにより、マイク１０９ａを用いて収録する終了音がＲＡＭ１０３の録音データエリアに記録される。なお、終了音とは、例えば駅到着前に行われる車内放送の終わり部分を指す。そして、ステップＳＲ７では、録音終了操作の有無を判断し、録音終了操作がなされると、ここでの判断結果が「ＹＥＳ」になり、ステップＳＲ８に進み、終了音の録音を終了させて本処理を終える。
【０１０５】
ｅ．到着お知らせ処理の動作
次に、図２６を参照して第３実施形態による到着お知らせ処理の動作を説明する。前述した第２実施形態と同様、端末処理のステップＳＫ７（図１５参照）を介して本処理が実行されると、制御部１０１は図２６に図示するステップＳＳ１に処理を進める。ステップＳＳ１では、マイクスイッチがオフ設定されているか否かを判断する。マイクスイッチがオン設定されていると、判断結果は「ＮＯ」になり、後述のステップＳＳ５に処理を進める。
【０１０６】
一方、マイクスイッチがオフ設定されていれば、上記ステップＳＳ１の判断結果は「ＹＥＳ」になり、ステップＳＳ２に進み、現在時刻を取得する。続いて、ステップＳＳ３では、現在時刻が到着時刻の範囲、すなわち前述した到着時刻設定処理のステップＳＱ６（図２２参照）においてＲＡＭ１０３のワークエリアにストアした「お知らせ範囲」に含まれているか否かを判断する。現在時刻が「お知らせ範囲」に含まれていなければ、判断結果は「ＮＯ」となり、何も行わずに本処理を完了させる。
【０１０７】
これに対し、現在時刻が「お知らせ範囲」に含まれていると、上記ステップＳＳ３の判断結果は「ＹＥＳ」になり、ステップＳＳ４に進み、マイクスイッチをオン設定してマイク１０９ａが集音する周囲音の取得を開始する。次いで、ステップＳＳ５では、取得した周囲音にＲＡＭ１０３の録音データエリアに記録した開始音が含まれているか否かを判断する。取得した周囲音に開始音が含まれていると、判断結果は「ＹＥＳ」になり、ステップＳＳ６に進む。
【０１０８】
ステップＳＳ６では、現在音楽再生中であって、再生される音楽をイヤホン１０９ｃを使用して聴取中であるか否かを判断する。イヤホン１０９ｃで音楽聴取中ならば、判断結果は「ＹＥＳ」となり、ステップＳＳ７に進み、マイク１０９ａで集音している周囲音と、再生中の音楽とをミキシングしてイヤホン１０９ｃから出力させる。一方、イヤホン１０９ｃで音楽を聴取していなければ、上記ステップＳＳ６の判断結果は「ＮＯ」になり、ステップＳＳ８に進み、マイク１０９ａで集音している周囲音をイヤホン１０９ｃから出力させる。
【０１０９】
さて一方、取得した周囲音にＲＡＭ１０３の録音データエリアに記録した開始音が含まれていなければ、上記ステップＳＳ５の判断結果は「ＮＯ」になり、ステップＳＳ９に進む。ステップＳＳ９では、取得した周囲音にＲＡＭ１０３の録音データエリアに記録した終了音が含まれているか否かを判断する。取得した周囲音に終了音が含まれていなければ、判断結果は「ＮＯ」となり、本処理を終える。これに対し、取得した周囲音に開始音が含まれていると、上記ステップＳＳ９の判断結果は「ＹＥＳ」になり、ステップＳＳ１０に進む。ステップＳＳ１０では、マイクスイッチをオフ設定して周囲音の取得を中止し、続くステップＳＳ１１では、集音した周囲音をイヤホン１０９ｃから出力させるのを中止して本処理を終える。
【０１１０】
以上のように、第３実施形態では、予め到着時刻の範囲を設定すると共に、例えば駅到着前に行われる車内放送の始り部分および終わり部分をそれぞれ開始音および終了音として事前収録しておく。そして、現在時刻が到着時刻の範囲に含まれると、マイク１０９ａにて周囲音を集音し始め、その周囲音に事前収録しておいた開始音が含まれている場合に、イヤホン１０９ｃで音楽聴取中ならば、マイク１０９ａで集音した周囲音を再生中の音楽にミキシングしてイヤホン１０９ｃから出力させ、一方、音楽聴取中でなければ、マイク１０９ａで集音した周囲音をイヤホン１０９ｃから出力させるので、到着駅に接近する際に行われる車内放送が聴き取り難かったり、聞き逃す虞が無くなる為、目的地が近付いたときに、ユーザに状況を案内することができる。
【０１１１】
また、現在時刻が到着時刻の範囲に含まれてから、マイク１０９ａにて周囲音を集音し始めるようにしたので、マイク１０９ａで周囲音を集音する時間を限定することで携帯端末装置の電力消費を抑えることができ、さらにはユーザには不要な音を開始音または終了音として誤認識する確率を低減できる。
【０１１２】
また、周囲音に収録しておいた終了音が含まれている場合に、マイク１０９ａによる周囲音の取得を中止するようにしたので、マイク１０９ａで周囲音を集音する時間を限定することで携帯端末装置の電力消費を抑えることができ、さらにはユーザには不要な音を開始音または終了音として誤認識する確率を低減できる。
【図面の簡単な説明】
【０１１３】
【図１】本発明による第１実施形態のシステム構成を示すブロック図である。
【図２】携帯端末１０の構成を示すブロック図である。
【図３】携帯端末１０のＲＡＭ１０３に設けられる駅名テーブル１０３ａの構成を示す図である。
【図４】携帯端末１０のＲＡＭ１０３に設けられる目的地テーブル１０３ｂの構成を示す図である。
【図５】サービス提供装置４０の構成を示すブロック図である。
【図６】携帯端末１０において実行される端末処理の動作を示すフローチャートである。
【図７】携帯端末１０において実行される到着お知らせモード設定処理の動作を示すフローチャートである。
【図８】携帯端末１０において実行される到着お知らせ処理の動作を示すフローチャートである。
【図９】サービス提供装置４０において実行されるサービス提供処理の動作を示すフローチャートである。
【図１０】サービス提供装置４０において実行される到着お知らせモード設定処理の動作を示すフローチャートである。
【図１１】サービス提供装置４０において実行される到着お知らせ処理の動作を示すフローチャートである。
【図１２】携帯端末１０において実行される変形例の端末処理の動作を示すフローチャートである。
【図１３】携帯端末１０において実行される変形例の到着お知らせモード設定処理の動作を示すフローチャートである。
【図１４】携帯端末１０において実行される変形例の到着お知らせ処理の動作を示すフローチャートである。
【図１５】第２実施形態による端末処理の動作を示すフローチャートである。
【図１６】第２実施形態による到着お知らせモード設定処理の動作を示すフローチャートである。
【図１７】第２実施形態による到着お知らせモード設定処理の動作を説明するための図である。
【図１８】第２実施形態による到着お知らせ処理の動作を示すフローチャートである。
【図１９】第３実施形態による到着お知らせモード設定処理の動作を示すフローチャートである。
【図２０】第３実施形態によるモードＯＮ／ＯＦＦ設定処理の動作を示すフローチャートである。
【図２１】第３実施形態によるモードＯＮ／ＯＦＦ設定処理の動作を説明するための図である。
【図２２】第３実施形態による到着時刻設定処理の動作を示すフローチャートである。
【図２３】第３実施形態による到着時刻設定処理の動作を説明するための図である。
【図２４】第３実施形態による開始音・終了音設定処理の動作を示すフローチャートである。
【図２５】第３実施形態による開始音・終了音設定処理の動作を説明するための図である。
【図２６】第３実施形態による到着お知らせ処理の動作を示すフローチャートである。
【符号の説明】
【０１１４】
１０  携帯端末
１００  操作部
１０１  制御部
１０２  ＲＯＭ
１０３  ＲＡＭ
１０４  表示部
１０５  無線通信部
１０６  ＧＰＳ受信部
１０７  ＦＭ受信部
１０８  非接触通信部
１０９  通話部
１０９ａ  マイク
１０９ｂ  スピーカ
１０９ｃ  イヤホン
２０  改札装置
３０  データ中継器
４０  サービス提供装置
４００  操作部
４０１  制御部
４０２  ＲＯＭ
４０３  ＲＡＭ
４０４  表示部
４０５  無線通信部
４０６  ＧＰＳ受信部
４０７  ＦＭ送受信部
【図１】
2007267196.tif 000003
【図２】
2007267196.tif 000004
【図３】
2007267196.tif 000005
【図４】
2007267196.tif 000006
【図５】
2007267196.tif 000007
【図６】
2007267196.tif 000008
【図７】
2007267196.tif 000009
【図８】
2007267196.tif 000010
【図９】
2007267196.tif 000011
【図１０】
2007267196.tif 000012
【図１１】
2007267196.tif 000013
【図１２】
2007267196.tif 000014
【図１３】
2007267196.tif 000015
【図１４】
2007267196.tif 000016
【図１５】
2007267196.tif 000017
【図１６】
2007267196.tif 000018
【図１７】
2007267196.tif 000019
【図１８】
2007267196.tif 000020
【図１９】
2007267196.tif 000021
【図２０】
2007267196.tif 000022
【図２１】
2007267196.tif 000023
【図２２】
2007267196.tif 000024
【図２３】
2007267196.tif 000025
【図２４】
2007267196.tif 000026
【図２５】
2007267196.tif 000027
【図２６】
2007267196.tif 000028